(57)【要約】【課題】出来映えが左官工の技量に左右されることなく、高品質のコンクリート階段と施工期間の短縮を実現することである。【解決手段】コンクリート階段の表面に貼り付けるコンクリート階段用化粧板であって、階段２の踏み面形成用水平板部４と、この水平板部の一辺から略垂直に一体に延びる蹴込み面形成用垂直板部３とからなり、水平板部４がその裏面に階段２の幅方向に平行な多数の凸状部５，６・・・を列設してなるコンクリート階段用化粧板１。【選択図】図２
2005179968.tif 000002
【特許請求の範囲】
【請求項１】
コンクリート階段の表面に貼り付けるコンクリート階段用化粧板であって、階段の踏み面形成用水平板部と、この水平板部の一辺から略垂直に一体に延びる蹴込み面形成用垂直板部とからなり、前記水平板部がその裏面に階段の幅方向に平行な多数の凸状部を列設してなるコンクリート階段用化粧板。
【請求項２】
垂直板部が、その裏面に階段の幅方向に平行な多数の凸状部を列設してなる請求項１に記載のコンクリート階段用化粧板。
【請求項３】
各凸状部が、その高さを１〜１００ｍｍとし、その幅を１〜３０ｍｍとし、その隣接間隔を１〜３０ｍｍとし、各垂直板部が、その厚みを１〜３０ｍｍとし、各水平板部が、その厚みを１〜３０ｍｍとしてなる請求項１または２に記載のコンクリート階段用化粧板。
【請求項４】
水平板部が、垂直板部の上辺から後方または下辺から前方へ一体に延びてなる請求項１〜３のいずれか一つに記載のコンクリート階段用化粧板。
【請求項５】
熱可塑性樹脂を用い押出し成形法により、化粧板の幅方向に押出し成形されてなる請求項１〜４のいずれか一つに記載のコンクリート階段用化粧板。
【請求項６】
（１）コンクリート階段と、
（２）このコンクリート階段の踏み面形成用水平板部と、この水平板部の一辺から略垂直に一体に延びる蹴込み面形成用垂直板部とからなり、前記水平板部がその裏面に階段の幅方向に平行な多数の凸状部を列設してなる化粧板と、
（３）この化粧板の水平板部と垂直板部とを、コンクリート階段の対応表面に貼り付けた貼り付け材とを備えたコンクリート階段の化粧板貼り付け構造。
【請求項７】
装飾板と、この装飾板を化粧板の表面に接着した接着材とをさらに備えた請求項６に記載のコンクリート階段の化粧板貼り付け構造。
【請求項８】
コンクリート階段の表面に化粧板を貼り付けるコンクリート階段への化粧板の施工方法であって、
化粧板として、階段の踏み面形成用水平板部と、この水平板部の一辺から略垂直に一体に延びる蹴込み面形成用垂直板部とからなり、前記水平板部がその裏面に階段の幅方向に平行な多数の凸状部を列設してなる、予め成形された化粧板を用い、
かつ、この化粧板の水平板部と垂直板部とを、コンクリート階段の対応表面に貼り付け材で貼り付けるコンクリート階段への化粧板の施工方法。
【請求項９】
コンクリート階段に貼り付けられる化粧板の表面に、装飾板を接着することをさらに含む請求項８に記載のコンクリート階段への化粧板の施工方法。
【請求項１０】
貼り付け材が、モルタルである請求項８または９のいずれか一つに記載のコンクリート階段への化粧板の施工方法。
【発明の詳細な説明】
【技術分野】
【０００１】
本発明は、コンクリート階段用化粧板およびその施工方法に関し、更に詳しくは、コンクリート階段（躯体）の表面、つまり蹴込み面と踏み面に貼り付けて、階段の各表面の寸法や状態を整えるコンクリート階段用化粧板（整飾板または蹴込み板と称することもある）およびその施工方法に関するものである。また、本製品の利用はコンクリート躯体保護としての保護板としても利用できるものとする。
【背景技術】
【０００２】
従来型(平板)のコンクリート階段用化粧板（整飾板）の場合（特許文献１参照）、コンクリート階段の蹴み込み面は、蹴み込み板を施工することにより埋め殺しとなるのでモルタルによる仕上げは不要となるが、踏み面はモルタルによる仕上げが必要である。したがって、依然としてモルタルを扱う作業が必要であり、踏み面の仕上げ作業に熟練を要する。
【０００３】
詳細には、事前に位置決めのために墨で印を付け、仮仕上げ工程に入った第１日目に下地清掃とコンクリート打ち込み階段の表面に吸水調節のためのポリマーエマルジョンの塗布を行い、その後でサンドモルタルの小塊をコンクリート階段（躯体）に貼り付ける。貼り付けには、接着剤として例えばセメント、軽量骨材、及びEVAエマルジョンを混練して団子状にしたサンドモルタルを用い、コンクリート階段の蹴込み面の幅方向において約３００ｍｍピッチに貼り付ける。
【０００４】
化粧板は、サンドモルタル塊を用いてコンクリート階段（躯体）に部分的に接着させ、必要に応じて適当なくさびを噛ませて、踏み面幅、蹴込みの高さならびに角度を調整し位置決めする。このようなサンドモルタル塊を用いた部分接着により、化粧板を墨出しで指定された通りの位置に合わせることができ、表面をあらかじめ加工された化粧板は、このサンドモルタルと強力に接着し、仮止めされる。化粧板は完全に固定されるまでの仮止めには、必要に応じて固定金具を併用する。
【０００５】
第２日の作業は、サンドモルタル塊による仮止めが硬化した状態から始まり、化粧板とコンクリート階段の間にモルタルを充填して仕上げ、踏み面もモルタルを供給してコテで仕上げて養生する。このように化粧板を用いると、現場での仮仕上げ作業は２日で完了する。なお、この仮仕上げ作業の後、コンクリート階段に貼り付けられる化粧板の表面には、通常、さらに装飾板を接着させ、階段が仕上げられる。
【特許文献１】特許第２８１１５５５号公報
【発明の開示】
【発明が解決しようとする課題】
【０００６】
解決しようとする問題点は、従来の技術では、化粧板を蹴込み面に仕上げ施工し、 踏み面は従来通りモルタルによる仕上げ施工を行っており、依然として左官工の技量により、踏み面の幅、蹴込みの高さ、化粧板の角度の調整などの出来映えが左右されていたことである。
そこで、本発明の主要な目的の一つは、出来映えが左官工の技量に左右されることなく、高品質のコンクリート階段と施工期間の短縮を実現することである。
【課題を解決するための手段】
【０００７】
本発明は、コンクリート階段の表面に貼り付けるコンクリート階段用化粧板であって、階段の踏み面形成用水平板部と、この水平板部の一辺から略垂直に一体に延びる蹴込み面形成用垂直板部とからなり、前記水平板部がその裏面に階段の幅方向に平行な複数の凸状部を列設してなるコンクリート階段用化粧板を提供する。
【発明の効果】
【０００８】
本発明によれば、コンクリート階段の踏み面形成用水平板部と、蹴込み面形成用垂直板部とを予め略Ｌ字形状に一体に連結して形成し、かつ水平板部の裏面に階段の幅方向に平行な多数の凸状部を列設することによって、モルタルによる踏み面の形成作業を省略できると共に、コンクリート階段の各踏み面と蹴込み面とを所望の位置関係に確保でき、特に水平板部裏面に特定方向に列設した複数の凸状部により作業中にズレルことがなく、踏み面の幅、蹴込みの高さ、化粧板の角度などがコンクリート階段全体にわたって均一な高品質のコンクリート階段を短期間に施工可能になる。
【発明を実施するための最良の形態】
【０００９】
本発明は、コンクリート階段の表面に貼り付けるコンクリート階段用化粧板であって、階段の踏み面形成用水平板部と、この水平板部の一辺から略垂直に一体に延びる蹴込み面形成用垂直板部とからなる。
【００１０】
ここで、コンクリート階段とは、コンクリートを打ち込んで形成した階段の躯体の表面に化粧板を貼り付け、必要によりその化粧板の上に装飾板を接着して階段を仕上げる、コンクリート階段の躯体を意味する。
このコンクリート階段の躯体には、水平な踏み面と、この踏み面から略垂直に延びる蹴込み面とが形成されるが、本発明の化粧板は、蹴込み面形成用垂直板部だけではなく、その垂直板部に、踏み面形成用水平板部を、予め略Ｌ字状に一体に連結して形成したことを構成上の特徴の一つとする。
【００１１】
したがって、本発明の化粧板を、コンクリート階段の表面に貼り付けると、踏み面と蹴込み面とを併せて（いっきに）形成できる。
具体的には、化粧板は、水平板部と垂直板部とを略Ｌ字状に一体に連結して構成されるが、水平板部を、垂直板部の上辺から後方へ一体に延びるように構成するか、垂直板部の下辺から前方へ一体に延ばしてもよい。つまり、両板部は、「略Ｌ字状」又は「略逆Ｌ字状」のいずれであっても問題は無い。なお、水平板部と垂直板部との相対角度は、通常９０度であるが、８０〜９０度の範囲内で適宜選択できる。
【００１２】
本発明は、踏み面形成用水平板部が、その裏面に、階段の幅方向に平行な多数の凸状部を列設していることをもう一つの構成上の特徴とする。
これらの凸状部の列設は、階段の幅方向に平行な多数の凹溝部または溝部の列設と捉えてもよい。
これらの凸状部または凹溝部を特定方向に列設することによって、化粧板が作業中にズレルことがなく、踏み面の幅、蹴込みの高さ、化粧板の角度などがコンクリート階段全体にわたって均一な高品質のコンクリート階段を施工可能になる。なお、化粧板は、凸状部または凹溝部の方向、つまり階段の幅方向には、通常、階段に壁があるのでズレルことはない。さらに、蹴込み面形成用垂直板部が、その裏面に、階段の幅方向に平行な多数の凸状部を列設させ、さらに貼り付け強度を上げるようにしてもよい。
【００１３】
ここで、水平板部や垂直板部に形成される各凸状部は、例えば、その高さを１〜１００ｍｍ、好ましくは１〜１０ｍｍに、その幅を１〜３０ｍｍ、好ましくは１〜２０ｍｍに、その隣接間隔を１〜３０ｍｍ、好ましくはは１〜２０ｍｍに、それぞれ設定される。  各垂直板部の厚みは、例えば、１〜３０ｍｍ、好ましくは１〜１０ｍｍに、各水平板部の厚みは、例えば、１〜３０ｍｍ、好ましくは１〜１０ｍｍにそれぞれ設定される。
【００１４】
本発明において、化粧板は、モルタル、特にサンドモルタルに接着するものであれば特に限定するものでは無く、例えば、合成樹脂、プラスチック、セメント、石膏、大理石、鉄板、アルミニウム板などが挙げられ、好ましくは、ポリ塩化ビニル樹脂、アクリル樹脂、エポキシ樹脂などの合成樹脂が挙げられる。なお、工場での予備生産・保存性を考慮し、また生産時間（生産能力や納期短縮の点）や出荷時の寸法切りの作業を考えると、熱可塑性樹脂原料を使用した製品であると好都合であり、特に熱可塑性樹脂の押出し成形法により、化粧板の幅方向に、つまり多数の凸状部の方向に押出し成形するのが好ましい。
【００１５】
本発明は、別の観点により、（１）コンクリート階段と、（２）このコンクリート階段の踏み面形成用水平板部と、この水平板部の一辺から略垂直に一体に延びる蹴込み面形成用垂直板部とからなり、前記水平板部がその裏面に階段の幅方向に平行な多数の凸状部を列設してなる化粧板と、（３）この化粧板の水平板部と垂直板部とを、コンクリート階段の対応表面に貼り付けた貼り付け材とを備えたコンクリート階段の化粧板貼り付け構造を提供できる。
ここで、化粧板の表面には、さらに、タイルや塩化ビニル樹脂等の化粧シートや塗装などで、階段（仮仕上げされていた階段）を最終的に仕上げてもよい。
【００１６】
本発明は、さらに別の観点により、コンクリート階段の表面に化粧板を貼り付けるコンクリート階段への化粧板の施工方法であって、化粧板として、階段の踏み面形成用水平板部と、この水平板部の一辺から略垂直に一体に延びる蹴込み面形成用垂直板部とからなり、前記水平板部がその裏面に階段の幅方向に平行な多数の凸状部を列設してなる化粧板を用い、かつ、この化粧板の水平板部と垂直板部とを、コンクリート階段の対応表面に貼り付け材で貼り付けるコンクリート階段への化粧板の施工方法を提供できる。
ここで、化粧板をコンクリート階段の対応面に貼り付けるに際して、予め高さを考慮して貼り付け材をコンクリート階段の全面に貼り付け、化粧板を貼り付け踏み面と蹴込み面とを所望の位置関係に正確に確保できるようにすることもできる。
また、化粧板をコンクリート階段の対応面に貼り付けるに際して、予め貼り付け材の複数の小塊でコンクリート階段に部分的に貼り付け、しかる後にコンクリート階段と化粧板との他の部分に残りの貼り付け材を充填し、踏み面と蹴込み面とを所望の位置関係に更に正確に確保できるようにすることもできる。
ここで、貼り付け材としては、モルタル、特にサンドモルタルを用いるのが好ましい。
サンドモルタルとしては、セメント、軽量骨材、ＥＶＡエマルジョンなどを混錬して用いられる。
【００１７】
〔実施の形態１〕
以下、本発明の実施の形態１を詳細に説明する。
図１は本発明に係るコンクリート階段用化粧板の実施の形態１を示す模式的説明断面図、図２はコンクリート打ち込み階段にその化粧板を貼り付けた状態を示す説明断面図である。
【００１８】
図１および２において、コンクリート階段用化粧板（整飾板）１は、コンクリート階段２の蹴込み面形成用垂直板部３と、この垂直板部の下辺から水平に前方へ延びる踏み面形成用水平板部４とからなり、この水平板部４および垂直板部３がそれぞれの裏面にコンクリート階段２の幅方向に平行な多数の凸状部５，６、・・・７，８・・・を列設してなる。なお、９は凸状部５と凸状部６とでできる凹溝部、１０は凸状部７と凸状部８とでできる凹溝部である。
【００１９】
この化粧板１は、サンドモルタル１１によってコンクリート階段２の対応箇所に貼り付けられ、一体化される。
最終的にはコンクリート階段（躯体）２と一体化する接着性能を持つサンドモルタル１１としては  例えばセメント、軽量骨材及びEVAエマルションを混練したポリマーセメントを用い、コンクリート躯体に貼り付けた後、樹脂ハンマー等で化粧板を軽く叩きなじませる。高さ調整にはサンドモルタル１１の塗りつけ量で調整を行う。化粧板１が完全に固定される迄養生する。なお、この仮仕上げ作業の後、化粧板１の表面に適宜装飾板（例えば、ポリ塩化ビニル樹脂板）が接着され最終的に仕上げられる。
【００２０】
このように本発明のコンクリート階段用貼り付け板１を用いると、現場での仮仕上げ作業は１日で完了することができる。
具体的には、この化粧板１を用いた仮仕上げ方法は、あらかじめ工場で生産された後に、工事現場に運ばれた化粧板１の接着側面（裏面）にサンドモルタルを塗り、コンクリート打ち込み構造物（階段２）に貼り付け、樹脂ハンマーなどで軽く叩き、位置決め後、仮止め状態で硬化せしめることにより、コンクリート躯体と一体化して仕上げる。
【００２１】
これを階段用化粧板１の仮施工例で更に補足説明すると、事前に位置決めのための墨出しを行い、仮施工工程に入った第１日に下地清掃とコンクリート打ち込み階段２の表面に吸水調節のためのポリマーエマルション塗布を実施し、その後、Ｌ字型化粧板１の外面(裏面、接着面）にサンドモルタルを塗りつけ、貼り付ける。
コンクリート階段の化粧板施工の例に見られるように、現場における仮施工作業は僅か１日で済ませることができ、工期短縮、人手不足解消に大きく寄与する。特に、この化粧板を用いると、モルタルによる踏み面の形成作業を省略できると共に、コンクリート階段の各踏み面と蹴込み面とを所望の位置関係に確保でき、さらに、水平板部裏面に階段の幅方向に列設した複数の凸条部により作業中にズレルことがなく、踏み面の幅、蹴込みの高さ、化粧板の角度などがコンクリート階段全体にわたって均一な高品質のコンクリート階段を短期間に施工可能になる。
【実施例１】
【００２２】
Ｌ字形状の化粧板１は、ポリ塩化ビニル樹脂（新第一塩ビ製：ZEST1000H）１００部に添加剤（丸市商会製：ＤＫ−４）を１０部添加し混合したものを連続押出成形において  Ｌ字状の化粧板を得る。これを階段２の幅（例えば、１０００ｍｍ）に合わせて切断し、化粧板１とする。
化粧板裏面（水平板部および垂直板部の各裏面）に形成された各凸状部は、その高さを１．５ｍｍ、その幅を６ｍｍ、その隣接間隔を６ｍｍとし、水平板部はその水平長さを３００ｍｍ、その厚みを１．５ｍｍとし、垂直板部はその垂直長さを２２０ｍｍ、その厚みを１．５ｍｍとする。
【００２３】
墨出し確認後の仮施工工程は、下地清掃とコンクリート打ち込み階段の段部へのポリマーエマルションの塗布から始まる。ここでは４５％EVAポリマーエマルション５倍希釈液を使用し、これによりサンドモルタルのドライアウトを防ぐ。
接着用サンドモルタルは、セメント・骨材・特殊添加材であるＣＲパウダー（ダイセルファインケム社製）とカチオンＳＢＲラテックスの混和液であるカチオン混和液（ダイセルファインケム社製）を１５．５対４．５の割合で混練する。
【００２４】
化粧板の接着面に混練した接着用サンドモルタルを均一に塗りつけ、コンクリート打ち込み階段に貼り付ける。樹脂ハンマーで化粧板を軽く叩き  サンドモルタルがなじむようにする。化粧板の貼り付け完了後、両端部を木片で固定しサンドモルタルと化粧板が完全に硬化するまで養生する。
【産業上の利用可能性】
【００２５】
本発明に係るコンクリート階段用化粧板は、一般の建築で採用されるコンクリート階段に限らず、土木用途、例えばコンクリート躯体の保護、または仕上げ材にも適用できる。
【図面の簡単な説明】
【００２６】
【図１】本発明に係るコンクリート階段用化粧板の実施の形態１を示す模式的説明断面図である。
【図２】コンクリート打ち込み階段に、図１の化粧板を貼り付けた状態を示す説明断面図である。
【符号の説明】
【００２７】
１      コンクリート階段用化粧板
２      コンクリート階段
３      蹴込み面形成用垂直板部
４      踏み面形成用水平板部
５      凸状部
６      凸状部
７      凸状部
８      凸状部
９      凹溝部
１０    凹溝部
１１    サンドモルタル
【図１】
2005179968.tif 000003
【図２】
2005179968.tif 000004